(57)【要約】【課題】陰圧雰囲気を形成するに際しての圧力制御の困難性を解消し、隔離室を形成するための各部の再使用を可能にする。【課題を解決するための手段】二枚のシート２０２（２０２ａ，２０２ｂ）を形状保持して最下層のシート２０２ｂの内部に非気密状態で患者ＩＰを隔離収容する隔離室２０３を形成するテント２０１の外部に、空気清浄部３０１Ａと燻蒸部３０１Ｂとを設置する。空気清浄部３０１Ａは、二枚のシート２０２（２０２ａ，２０２ｂ）の間の隙間に形成される陰圧雰囲気生成空間ＮＳの空気を吸引して陰圧雰囲気にし、吸引した空気を殺菌除菌した後に排気口３０５から排出する。燻蒸部３０１Ｂは、陰圧雰囲気生成空間ＮＳ及び隔離室２０３をオゾン燻蒸し、それらの空間に残るオゾンを酸素に戻して回収する。【選択図】図１
2010264074.tif 000002
【特許請求の範囲】
【請求項１】
隙間を開けた積層状態を維持する複数枚のシートを形状保持して最下層の前記シートの内部に非気密状態で患者を隔離収容する隔離室を形成するテントと、
オゾンを発生させる第１のオゾン発生器とオゾンを酸素に変化させる第１のオゾン分解触媒と微粒子を捕集するＨＥＰＡフィルタとを備え、吸気口から空気を吸引して前記第１のオゾン発生器が発生するオゾンと混合し前記第１のオゾン分解触媒で酸素に戻す殺菌と前記ＨＥＰＡフィルタを通過させる微粒子捕集とを行なって第１の排気口から排出する空気清浄部と、
オゾンを発生させる第２のオゾン発生器とオゾンを酸素に変化させる第２のオゾン分解触媒とを備え、前記第２のオゾン発生器が発生させたオゾンをオゾン放出口から放出するオゾン放出と、オゾン吸気口からオゾンを吸引して前記第２のオゾン分解触媒を通過させて第２の排気口から排出するオゾン回収とを行なう燻蒸部と、
前記テントの外部の所定の設置位置に設置される前記空気清浄部の前記吸気口を前記複数枚のシート間の隙間によって形成される陰圧雰囲気生成空間と直接連通させる陰圧室形成用連通構造と、
前記テントの外部の所定の設置位置に設置される前記燻蒸部の前記オゾン放出口及び前記オゾン吸気口を前記陰圧雰囲気生成空間及び前記隔離室と連通させる燻蒸用連通構造と、
を備える隔離室形成装置。
【請求項２】
前記設置位置に設置される前記空気清浄部の前記第１の排気口を前記隔離室に直接連通させる空気清浄用連通構造を備える、請求項１記載の隔離室形成装置。
【請求項３】
前記空気清浄部は、前記吸気口から前記第１の排気口に至る経路中、前記第１のオゾン発生器と前記第１のオゾン分解触媒と前記ＨＥＰＡフィルタとを順に配置している、請求項１又は２記載の隔離室形成装置。
【請求項４】
前記空気清浄部と前記燻蒸部とは、
空気清浄燻蒸装置として一体化されており、
前記吸気口と前記オゾン吸気口とを兼用し、
前記第１の排気口と前記第２の排気口とを兼用し、
前記第１のオゾン分解触媒と前記第２のオゾン分解触媒とを兼用する、
請求項１ないし３のいずれか一記載の隔離室形成装置。
【請求項５】
前記空気清浄部と前記燻蒸部とは、
空気清浄燻蒸装置として一体化されており、
前記吸気口と前記オゾン吸気口とを兼用し、
前記第１の排気口と前記第２の排気口とを兼用し、
前記第１のオゾン発生器と前記第２のオゾン発生器とを兼用し、
前記第１のオゾン分解触媒と前記第２のオゾン分解触媒とを兼用する、
請求項１ないし３のいずれか一記載の隔離室形成装置。
【請求項６】
前記オゾン放出口は、前記第１及び第２の排気口の配置領域内に配置されている、請求項４又は５記載の隔離室形成装置。
【請求項７】
隙間を開けた積層状態を維持する複数枚のシートを形状保持して最下層の前記シートの内部に非気密状態で患者を隔離収容する隔離室を形成するテントを設置する工程と、
前記テントの外部の所定の設置位置に、吸気口から空気を吸引してオゾン殺菌と微粒子捕集とを行ない第１の排気口から排出する空気清浄部を設置する工程と、
前記設置位置に設置された前記空気清浄部の前記吸気口を前記複数枚のシート間の隙間によって形成される陰圧雰囲気生成空間と直接連通させる工程と、
前記テントの外部の所定の設置位置に、オゾン放出口からオゾンを放出するオゾン放出とオゾン吸気口からオゾンを含む空気を吸引し酸素に戻して第２の排気口から排出するオゾン回収とを実行する燻蒸部を設置する工程と、
前記設置位置に設置された前記燻蒸部の前記オゾン放出口及び前記オゾン吸気口を前記陰圧雰囲気生成空間及び前記隔離室と連通させる工程と、
前記空気清浄部を動作させて前記陰圧雰囲気生成空間を陰圧にする工程と、
前記燻蒸部をオゾン放出動作させて前記陰圧雰囲気生成空間及び前記隔離室を燻蒸する工程と、
前記燻蒸部をオゾン回収動作させて前記陰圧雰囲気生成空間及び前記隔離室からオゾンを除去する工程と、
を備える隔離室形成燻蒸方法。
【発明の詳細な説明】
【技術分野】
【０００１】
本発明は、陰圧雰囲気の隔離室を形成するための隔離室形成装置、及び、そのような隔離室を形成して燻蒸する隔離室形成燻蒸方法に関する。
【背景技術】
【０００２】
例えば新型インフルエンザに感染した患者は、専門病院（感染症指定医療機関）の特別な病床である感染症病床に収容されて完全隔離されることが望ましい。感染症病床は、病原菌が外部に漏れだすことがないよう、気圧を低くした陰圧室として形成される。しかしながら、このような感染症病床が用意されている医療施設の数は僅かである。このため、その一層の普及が望まれるところである。
【０００３】
このような社会的背景からか、近年、比較的簡易に陰圧にされた隔離室を形成できるようにしたシステムが普及し始めている。例えば特許文献１は、折り畳み可能な枠体に可燃性樹脂シート製の可撓性被覆体を取り付け、可撓性被覆体の内部空気を排気ユニットで排気して陰圧にするようにした患者隔離ユニットを開示している。この装置によれば、可撓性被覆体の内部空気を排気ユニットで排気することで、可撓性被覆体の内部に形成される隔離室を陰圧雰囲気に形成することができる。特許文献１によれば、排気ユニットはＨＥＰＡフィルタ及び紫外線ランプを備え、排気ユニットによる可撓性被覆体の内部空気の排出に際して、隔離室に感染症の患者を収容することにより発生する細菌を殺菌できるものとされている。
【０００４】
特許文献１に記載されている技術と同様の手法で隔離室を陰圧雰囲気にし、その際に隔離室から外部に排気される空気中の菌を殺菌するようにした発明は、特許文献２（患者隔離装置）や特許文献３（オゾン発生装置付き密閉式移動ベッド）にも記載されている。特許文献２は、殺菌対象物として、「感染性粒子、例えば細菌又は患者により吐き出されたヴィールス又は細菌等を含んだ気質粒子」を開示している（段落００２２参照）。
【先行技術文献】
【特許文献】
【０００５】
【特許文献１】特開２００４−１４１２３９公報
【特許文献２】特開平０７−０００４６１号公報
【特許文献３】特開２００５−０３４５８２公報
【特許文献４】特開平１１−１４６９０５号公報
【発明の概要】
【発明が解決しようとする課題】
【０００６】
特許文献１〜３に記載されている技術によれば、それらの各文献に明示はないものの、隔離室が気密に形成されているものと思料される。とりわけ、特許文献１は、可撓性被覆体の内部からの空気の漏洩を防止する旨の記載が散見されること（例えば、段落００２５、段落００２７、段落００３５等参照）、患者隔離ユニットの使用後には排気ユニットを駆動して可撓性被覆体を萎ませること（段落００４９〜段落００５１参照）を開示していることから考えると、隔離室を気密に形成していると考えざるを得ない。しかしながら、隔離室を気密に形成した場合、その圧力制御が必要となり、設計の困難化や構造の複雑化を招いてしまうという問題がある。これが、第１の問題である。
【０００７】
第２の問題は、使用後の患者隔離ユニット（患者隔離装置、オゾン発生装置付き密閉式移動ベッド）の処理に関しての問題である。つまり、使用後の患者隔離ユニット等は、隔離室に感染症の患者を収容していたわけであるから、隔離室が感染性粒子で汚染された状態にある。そこで、特許文献１は、患者隔離ユニットの使用後、排気ユニットを駆動して可撓性被覆体を萎ませて畳み、焼却処分することを開示している。これに対して、特許文献２及び特許文献３は、使用後の隔離室の汚染状態をどのようにするのかについて、一切の言及がない。このようなことから、特許文献１に記載されている患者隔離ユニットはもとより、特許文献２に記載されている患者隔離装置にしても特許文献３に記載されているオゾン発生装置付き密閉式移動ベッドにしても、隔離室を形成するための構造物や隔離室に収納されていた物品の再使用が困難であることが予想される。これが、第２の問題である。
【０００８】
なお、特許文献４は、オゾン燻蒸殺菌装置を開示する。そこで、この種の装置を用いて、使用後の隔離室をオゾン燻蒸することが考えられる。しかしながら、使用後の隔離室に特許文献４に示されているようなオゾン燻蒸殺菌装置を持ち込むとすると、その作業者は一時的であるにせよ感染性粒子が残存している隔離室に入らなければならないため、安全上好ましくない。
【０００９】
本発明の目的は、陰圧雰囲気を形成するに際しての圧力制御の困難性を解消することである。
【００１０】
本発明の別の目的は、隔離室に感染症の患者を収容した後も、隔離室を形成するための各部の再使用を可能にすることである。
【課題を解決するための手段】
【００１１】
本発明の隔離室形成装置は、隙間を開けた積層状態を維持する複数枚のシートを形状保持して最下層の前記シートの内部に非気密状態で患者を隔離収容する隔離室を形成するテントと、吸気口から空気を吸引し殺菌及び除菌した後に第１の排気口から排出する空気清浄部と、オゾン放出口からオゾンを放出する燻蒸動作とオゾン吸気口からオゾンを含む空気を吸引し酸素に戻して第２の排気口から排出するオゾン除去動作とを実行する燻蒸部と、前記テントの外部の所定の設置位置に設置される前記空気清浄部の前記吸気口を前記複数枚のシート間の隙間によって形成される陰圧雰囲気生成空間と直接連通させる陰圧室形成用連通構造と、前記テントの外部の所定の設置位置に設置される前記燻蒸部の前記オゾン放出口及び前記オゾン吸気口を前記陰圧雰囲気生成空間及び前記隔離室と連通させる燻蒸用連通構造と、を備える。
【００１２】
本発明の隔離室形成方法は、隙間を開けた積層状態を維持する複数枚のシートを形状保持して最下層の前記シートの内部に非気密状態で患者を隔離収容する隔離室を形成するテントを設置する工程と、前記テントの外部の所定の設置位置に、吸気口から空気を吸引し殺菌及び除菌した後に第１の排気口から排出する空気清浄部を設置する工程と、前記設置位置に設置された前記空気清浄部の前記吸気口を前記複数枚のシート間の隙間によって形成される陰圧雰囲気生成空間と直接連通させる工程と、前記テントの外部の所定の設置位置に、オゾン放出口からオゾンを放出する燻蒸動作とオゾン吸気口からオゾンを含む空気を吸引し酸素に戻して第２の排気口から排出するオゾン除去動作とを実行する燻蒸部を設置する工程と、前記設置位置に設置された前記燻蒸部の前記オゾン放出口及び前記オゾン吸気口を前記陰圧雰囲気生成空間及び前記隔離室と連通させる工程と、前記空気清浄部を動作させて前記陰圧雰囲気生成空間を陰圧にする工程と、前記燻蒸部をオゾン放出動作させて前記陰圧雰囲気生成空間及び前記隔離室を燻蒸する工程と、前記燻蒸部をオゾン回収動作させて前記陰圧雰囲気生成空間及び前記隔離室からオゾンを除去する工程と、を備える。
【発明の効果】
【００１３】
本発明によれば、空気清浄部の吸気口を複数枚のシート間の隙間によって形成される陰圧雰囲気生成空間と直接連通させることにより、吸気口からの吸気によって陰圧雰囲気生成空間を陰圧雰囲気にすることができ（陰圧雰囲気生成空間を陰圧にする工程）、この際、隔離室及び陰圧雰囲気生成空間が非気密状態であることから、陰圧雰囲気生成空間に隔離室及び外部空間からの空気を適宜回り込ませることができ、したがって、陰圧雰囲気生成空間を陰圧雰囲気に維持するための特別な圧力制御を不要としてそのような圧力制御の困難性を解消することができる。本発明によれば、また、テントの外部に設置される燻蒸部のオゾン放出口及びオゾン吸気口を陰圧雰囲気生成空間及び隔離室と連通させることにより、テントの外部から空気清浄部及び燻蒸部を操作することで、使用後の隔離室に残存する感染性粒子を燻蒸部の燻蒸動作によってオゾン燻蒸し（隔離室を燻蒸する工程）、それによって残存するオゾンを燻蒸部のオゾン除去動作によって分解することができ（隔離室からオゾンを除去する工程）、したがって、隔離室に感染症の患者を収容した後も、隔離室を形成するための各部を再使用することができる。
【図面の簡単な説明】
【００１４】
【図１】実施の一形態を示す隔離室形成装置の概略的な縦断正面図である。
【図２】シートを透過させた状態で隔離室形成装置を示す斜視図である。
【図３】シートを透過させた状態で隔離室形成装置の別の一例を示す斜視図である。
【図４】空気清浄燻蒸機を正面から示す斜視図である。
【図５】空気清浄燻蒸機を背面から示す斜視図である。
【図６】空気清浄燻蒸機をその内部構造及び電気的接続と共に示す模式図である。
【図７】空気清浄燻蒸機の制御部が実行するシーケンスの流れを示すフローチャートである。
【図８】別の実施の一形態として適用可能な空気清浄燻蒸機をその内部構造及び電気的接続と共に示す模式図である。
【発明を実施するための形態】
【００１５】
実施の一形態を図１ないし図７に基づいて説明する。
【００１６】
図１は、隔離室形成装置１０１を示す縦断正面図である。隔離室形成装置１０１は、テント２０１と空気清浄燻蒸機３０１とを主要な構成物としている。
【００１７】
テント２０１は、二枚のシート２０２が隙間を開けて積層されることで二重構造をなし、二枚のシート２０２の間の隙間に陰圧雰囲気生成空間ＮＳを形成し、下層のシート２０２ｂの内部の収容スペースに隔離室２０３を形成している。隔離室２０３は、感染症の患者ＩＰを収容する目的で使用される。そこで、隔離室２０３には、患者ＩＰのためのベッド５０１（図１参照）、ストレッチャー５０２（図２参照）、イス５０３（図３参照）等が設置される。このようなテント２０１の設置場所は、屋内（例えば病院構内）でも良いし屋外でも良い。つまり、テント２０１は、環境や目的に応じて任意の場所に設置されることになる。
【００１８】
空気清浄燻蒸機３０１は、空気清浄部３０１Ａと燻蒸部３０１Ｂとを一体的に有している（図６参照）。空気清浄部３０１Ａは、空気を吸引することにより陰圧雰囲気生成空間ＮＳを陰圧雰囲気にする。燻蒸部３０１Ｂは、隔離室２０３及び陰圧雰囲気生成空間ＮＳをオゾンで燻蒸して消毒する。オゾン燻蒸は、隔離室２０３に感染症の患者ＩＰを収容することによって汚染された隔離室２０３及び陰圧雰囲気生成空間ＮＳ内の感染性粒子を殺菌するために行なわれる。
【００１９】
ここで、テント２０１について説明する。テント２０１は、隙間を開けた積層状態を維持する二枚のシート２０２（２０２ａ，２０２ｂ）を形状保持し、下層側のシート２０２ｂの内部に非気密状態で患者ＩＰを隔離収容する隔離室２０３を形成する。テント２０１は、複数本の棒状部材が組み合わさって形成されるフレーム２０４によって下層側のシート２０２ｂを形状保持し、二枚のシート２０２ａ，２０２ｂの間に介在配置される複数個のスペーサ２０５によって上層側のシート２０２ａを形状保持している。
【００２０】
フレーム２０４は、一例としてステンレス、別の一例として各種の合成樹脂を材料として形成されていている。フレーム２０４には、下層側のシート２０２ｂを形状保持し得る上に、上層側のシート２０２ａの重量も支えることができる程度の強固さが要求されるので、この要求を満足し得る材料によって形成されなければならない。二枚のシート２０２は、一例として軟質塩化ビニル、別の一例としてテフロン（登録商標）を材料として形成されている。スペーサ２０５は、例えば各種の合成樹脂によって形成されている。これらのシート２０２及びスペーサ２０５は、軽量であることが好ましく、この観点を材料選定の重要な要素としている。
【００２１】
図２は、シート２０２を透過させた状態で隔離室形成装置１０１を示す斜視図である。テント２０１の側面にあたるシート２０２の一面には、患者ＩＰを含む人間がテント２０１に出入りするための出入口２０６が設けられている。出入口２０６は、例えばファスナによって開閉自在となっている。図１にも明示しているように、二枚のシート２０２の下縁２０７は、いずれも隔離室２０３の底面ＧＳに固定されてない自由端である。したがって、下縁２０７と底面ＧＳとの間の隙間から、テント２０１の内部に形成されている隔離室２０３及び陰圧雰囲気生成空間ＮＳと外部空間との間で、空気の流通が許容されている。これにより、テント２０１は、非気密状態で隔離室２０３に患者を収容することになる。なお、底面ＧＳは、テント２０１の設置場所に応じ、病院の床面であったり地面であったりする。
【００２２】
図３は、シート２０２を透過させた状態で隔離室形成装置１０１の別の一例を示す斜視図である。図３に示す隔離室形成装置１０１が図１及び図２に示す隔離室形成装置１０１と異なる点は、テント２０１の形態である。すなわち、図１及び図２に示すテント２０１が長方形であるのに対して、図３に示すテント２０１は四角錐形状を有している。したがって、このテント２０１の内部に形成される隔離室２０３も、四角錐形状となる。このような図３に示すテント２０１は、図１及び図２に示すテント２０１と比較して底面ＧＳが狭くなり、占有空間が減少すると考えられるため、より簡易的又は緊急的な使用が想定される。
【００２３】
なお、テント２０１の形状は、図１ないし図３に示した例に限られることはなく、二枚のシート２０２がフレーム２０４を覆うことで外部と隔てた隔離室２０３が形成されるものであれば、いかなる形状であっても良い。また、シート２０２の枚数も二枚に限らず、一枚一枚のシート２０２の間に隙間を開けた形態であれば、三枚以上であっても良い。更に、テント２０１は、二枚のシート２０２（２０２ａ，２０２ｂ）の間にスペーサ２０５を介在配置して陰圧雰囲気生成空間ＮＳを形成する構造のみならず、大きさが異なる複数個のテント（図示せず）を重ねて設置することで個々のテントの間に陰圧雰囲気生成空間ＮＳを形成する構造であっても良い。
【００２４】
図１を再び参照する。空気清浄燻蒸機３０１は、テント２０１の外部で底面ＧＳ上に配置されている。この場合、空気清浄燻蒸機３０１は、任意の位置に配置されているというわけではなく、その配置位置は所定の設置位置ＳＰとして予め決められている。空気清浄燻蒸機３０１の設置位置ＳＰは、隔離室形成装置１０１がその諸機能を発揮する上で重要な役割を担っている。このような空気清浄燻蒸機３０１の設置位置ＳＰについては、後に詳述する。
【００２５】
図４は、空気清浄燻蒸機３０１を正面から示す斜視図である。図５は、その背面図である。空気清浄燻蒸機３０１は、縦長のハウジング３０２を有している。ハウジング３０２の下面四隅には、空気清浄燻蒸機３０１を移動自在にするキャスタ３０３が設けられている。ハウジング３０２は、その背面に吸気口３０４を備え（図５参照）、その上部に排気口３０５（第１の排気口、第２の排気口）を備えている。吸気口３０４及び排気口３０５は、羽根板が平行に取り付けられた扉状（いわゆるガラリ）となっている。
【００２６】
ハウジング３０２の前面には、空気清浄燻蒸機３０１の状態等の情報を表示する操作表示部３０６が設けられている。操作表示部３０６は、手動操作によって、空気清浄燻蒸機３０１が有する空気清浄部３０１Ａに対する動作開始指令と燻蒸部３０１Ｂに対する動作開始指令とを別個独立して入力可能である（空気清浄部ＯＮ、燻蒸部ＯＮ）。
【００２７】
図６は、空気清浄燻蒸機３０１をその内部構造及び電気的接続と共に示す模式図である。前述したように、空気清浄燻蒸機３０１は、空気清浄部３０１Ａと燻蒸部３０１Ｂとを一体的に有している。これらの空気清浄部３０１Ａ及び燻蒸部３０１Ｂは、共にハウジング３０２に内蔵され、空気清浄燻蒸機３０１として一体化されている。これらの空気清浄部３０１Ａと燻蒸部３０１Ｂとは、一部分、部品の共通化が図られている。そこで、ここでは、空気清浄部３０１Ａと燻蒸部３０１Ｂとを別にすることなくそれらの構成について説明した上で、空気清浄部３０１Ａと燻蒸部３０１Ｂとについて説明する。
【００２８】
空気清浄燻蒸機３０１は、ハウジング３０２に中空の風洞３０７を内蔵している。風洞３０７は、一端側が吸気口３０４に面して他端が排気口３０５に面して配置されており、吸気口３０４と排気口３０５とを連絡している。このような風洞３０７の内部には、吸気口３０４側から排気口３０５に向けて順に、プレフィルタ３０８、清浄用噴出ノズル３０９、蛍光灯３１０、光触媒３１１、オゾン分解触媒３１２、高性能脱臭フィルタ３１３、カーボンシルク３１４、ＨＥＰＡフィルタ３１５、ファン３１６、及び、マイナスイオン発生器３１７が配置されている。
【００２９】
プレフィルタ３０８は、風洞３０７の入口を塞ぐようにして配置され、大きな塵や埃を捕集する。
【００３０】
清浄用噴出ノズル３０９は、オゾンを噴出する。つまり、空気清浄燻蒸機３０１は、吸気口３０４の近傍に位置させて、清浄用エアポンプ３１８と清浄用オゾン発生器３１９（第１のオゾン発生器）とをハウジング３０２に内蔵している。清浄用エアポンプ３１８は、外部の空気を吸引し、吸引した空気を中空のチューブ３２０ａと清浄用オゾン発生器３１９と中空のチューブ３２０ｂとを介して清浄用噴出ノズル３０９に供給する。この際、清浄用オゾン発生器３１９はオゾンを発生し、このオゾンが空気と混合されて清浄用噴出ノズル３０９にも供給されるため、清浄用噴出ノズル３０９からオゾンが噴射する。
【００３１】
蛍光灯３１０は、点灯回路３２１によって始動し、点灯を維持する。
【００３２】
光触媒３１１は、蛍光灯３１０が発する光に照射されることで除菌脱臭を行なう。光触媒３１１は、担体（図示せず）に担持されている。
【００３３】
オゾン分解触媒３１２（第１のオゾン分解触媒及び第２のオゾン分解触媒）は、オゾンを酸素に変化させる。オゾン分解触媒３１２も、担体（図示せず）に担持されている。
【００３４】
高性能脱臭フィルタ３１３は、悪臭物質（例えば、アンモニア、酢酸、メチルメルカプタン）を捕集する。
【００３５】
カーボンシルク３１４は、脱臭を行なう。
【００３６】
ＨＥＰＡフィルタ３１５は、ウィルス等の微粒子を捕集する。
【００３７】
ファン３１６は、モータ３２２に駆動されて回転し、吸気口３０４に面した風洞３０７の一端側から外部の空気を風洞３０７の内部に吸引する。ファン３１６の回転によって風洞３０７の内部に吸引された空気は、排気口３０５に面する風洞３０７の他端側から排気される。
【００３８】
マイナスイオン発生器３１７は、マイナスイオンを発生する。
【００３９】
次いで、空気清浄燻蒸機３０１は、吸気口３０４の近傍に位置させて、清浄用エアポンプ３１８及び清浄用オゾン発生器３１９（第１のオゾン発生器）とは別に、燻蒸用エアポンプ３２３と燻蒸用オゾン発生器３２４（第２のオゾン発生器）とをハウジング３０２に内蔵している。燻蒸用エアポンプ３２３は、外部の空気を吸引し、吸引した空気を中空のチューブ３２５ａと燻蒸用オゾン発生器３２４と中空のチューブ３２５ｂとを介して燻蒸用噴出ノズル３２６に供給する。この際、燻蒸用オゾン発生器３２４はオゾンを発生し、このオゾンが空気と混合されて燻蒸用噴出ノズル３２６にも供給されるため、燻蒸用噴出ノズル３２６からオゾンが噴射する。燻蒸用噴出ノズル３２６は、排気口３０５の配置領域内に配置され、その吐出口をオゾン放出口３２７としている。
【００４０】
このように構成された空気清浄燻蒸機３０１は、各部を駆動制御する制御部３２８を備えている。制御部３２８は、前述した操作表示部３０６を初めとして、清浄用エアポンプ３１８、清浄用オゾン発生器３１９、蛍光灯３１０の点灯回路３２１、ファン３１６を回転駆動するためのモータ３２２、マイナスイオン発生器３１７、燻蒸用エアポンプ３２３、及び燻蒸用オゾン発生器３２４を駆動制御する。また、空気清浄燻蒸機３０１は、空気の汚れ具合をセンシングするダストセンサ３２９をハウジング３０２に内蔵している。制御部３２８は、そのダストセンサ３２９からの信号を取り込み、取り込んだ信号に応じて各部の制御状態を設定する。このような制御部３２８は、一例としてデジタル回路によって構成され、予め決められている処理をシーケンシャルに実行するシーケンサとして実現されている。
【００４１】
ここで、空気清浄部３０１Ａと燻蒸部３０１Ｂとについて説明する。
【００４２】
空気清浄部３０１Ａは、概略的には、吸気口３０４から空気を吸引して清浄用オゾン発生器３１９（第１のオゾン発生器）が発生するオゾンと混合しオゾン分解触媒３１２（第１のオゾン分解触媒）で酸素に戻す殺菌とＨＥＰＡフィルタ３１５を通過させる微粒子捕集とを行なって排気口３０５（第１の排気口）から排出する。そこで、風洞３０７の内部に配置されているプレフィルタ３０８、清浄用噴出ノズル３０９、蛍光灯３１０、光触媒３１１、オゾン分解触媒３１２、高性能脱臭フィルタ３１３、カーボンシルク３１４、ＨＥＰＡフィルタ３１５、ファン３１６、及びマイナスイオン発生器３１７は、空気清浄部３０１Ａを構成する。これらに加えて、清浄用噴出ノズル３０９からオゾンを噴射させるための各部（清浄用エアポンプ３１８、チューブ３２０ａ、清浄用オゾン発生器３１９、チューブ３２０ｂ）、蛍光灯３１０の点灯回路３２１、ファン３１６を回転駆動するためのモータ３２２、マイナスイオン発生器３１７、及びそれらの各部を制御する制御部３２８も、空気清浄部３０１Ａを構成している。
【００４３】
燻蒸部３０１Ｂは、概略的には、燻蒸用オゾン発生器３２４（第２のオゾン発生器）が発生させたオゾンをオゾン放出口３２７から放出するオゾン放出と、吸気口３０４（オゾン吸気口）からオゾンを吸引してオゾン分解触媒３１２（第２のオゾン分解触媒）を通過させて排気口３０５（第２の排気口）から排出するオゾン回収とを行なう。そこで、オゾン放出口３２７からオゾンを噴射させるための各部（燻蒸用エアポンプ３２３、チューブ３２５ａ、燻蒸用オゾン発生器３２４、チューブ３２５ｂ）、及びこれらを駆動する制御部３２８は、燻蒸部３０１Ｂを構成し、燻蒸部３０１Ｂにオゾン放出を実行させる。また、風洞３０７の内部に配置されているオゾン分解触媒３１２及びファン３１６と、ファン３１６を回転駆動させるモータ３２２及びこれを駆動制御する制御部３２８も、燻蒸部３０１Ｂを構成し、燻蒸部３０１Ｂにオゾン回収を実行させる。
【００４４】
以上説明したように、空気清浄部３０１Ａと燻蒸部３０１Ｂとは、一部分、部品の共通化が図られている。このような構成上、ハウジング３０２の裏面に設けられている吸気口３０４（図５参照）は、空気清浄部３０１Ａが空気を吸引するための吸気口と、燻蒸部３０１Ｂがオゾンを含む空気を吸引するためのオゾン吸気口とを兼ねている。また、ハウジング３０２の上面に設けられている排気口３０５（図４参照）は、空気清浄部３０１Ａが空気清浄処理後の空気を排出するための第１の排気口と、燻蒸部３０１Ｂがオゾン分解後の空気を排出するための第２の排気口とを兼ねている。このような排気口３０５の配置領域内には、前述したように、燻蒸用噴出ノズル３２６の先端に形成されたオゾン放出口３２７が配置されている。
【００４５】
前述したように、空気清浄部３０１Ａは、空気を吸引することによりテント２０１に形成されている陰圧雰囲気生成空間ＮＳを陰圧雰囲気にする。燻蒸部３０１Ｂは、テント２０１の内部に形成されている隔離室２０３及び陰圧雰囲気生成空間ＮＳをオゾンで燻蒸して消毒する。そこで、本実施の形態の隔離室形成装置１０１は、これらの陰圧雰囲気形成とオゾン燻蒸とを実現するために、テント２０１と空気清浄燻蒸機３０１とを関連付けるための構成を備えている。この構成は、陰圧室形成用連通構造４０１及び燻蒸用連通構造４２１である。隔離室形成装置１０１は、更に、それらの陰圧雰囲気形成とオゾン燻蒸とに付随する構造として、空気清浄用連通構造４３１も備えている。以下、図１、図４〜図６を参照しながら、陰圧室形成用連通構造４０１、燻蒸用連通構造４２１及び空気清浄用連通構造４３１について説明する。
【００４６】
陰圧室形成用連通構造４０１は、テント２０１の外部の所定の設置位置ＳＰ（図１参照）に設置される空気清浄燻蒸機３０１が有する空気清浄部３０１Ａの吸気口３０４を二枚のシート２０２（２０２ａ，２０２ｂ）の間の隙間によって形成される陰圧雰囲気生成空間ＮＳと直接連通させる構造である。空気清浄燻蒸機３０１は、その背面に空気清浄部３０１Ａの吸気口３０４を有している。そこで、設置位置ＳＰは、その吸気口３０４が上層側のシート２０２ａの一部に対面するように空気清浄燻蒸機３０１の設置場所を定めている。そして、陰圧室形成用連通構造４０１は、そのような設置位置ＳＰに設置されている空気清浄燻蒸機３０１の吸気口３０４に対面するように上層側のシート２０２ａに形成された連通孔４０２によって形成されている。したがって、吸気口３０４は、連通孔４０２を介して陰圧雰囲気生成空間ＮＳに直接的に連通している。
【００４７】
燻蒸用連通構造４２１は、テント２０１の外部の所定の設置位置に設置される空気清浄燻蒸機３０１が有する燻蒸部３０１Ｂのオゾン放出口３２７及びオゾン吸気口である吸気口３０４を二枚のシート２０２（２０２ａ，２０２ｂ）の間の隙間によって形成される陰圧雰囲気生成空間ＮＳ及び隔離室２０３と連通させる構造である。空気清浄用連通構造４３１は、設置位置ＳＰに設置される空気清浄燻蒸機３０１の排気口３０５を隔離室２０３に直接連通させる。これらの燻蒸用連通構造４２１及び空気清浄用連通構造４３１は、構造的に共通している部分が多いため、一緒に説明する。
【００４８】
燻蒸用連通構造４２１及び空気清浄用連通構造４３１は、空気清浄燻蒸機３０１のオゾン放出口３２７を陰圧雰囲気生成空間ＮＳ及び隔離室２０３に連通させる構造として、また、排気口３０５を隔離室２０３に連通させる構造として、空気清浄燻蒸機３０１の上部に着脱自在に取り付け可能なダクト４２２を有している。ダクト４２２は、空気清浄燻蒸機３０１の上部に着脱自在でその上面を覆うダクトカバー４２３を有している。ダクトカバー４２３は、空気清浄燻蒸機３０１の上面を覆うことで排気口３０５を完全に覆う。そして、ダクト４２２は、ダクトカバー４２３の上部から垂直に延出して直角に屈曲し水平に延出するダクトパイプ４２４を有し、ダクトパイプ４２４の内部に配置されたオゾン燻蒸用パイプ４２５を有している。ダクトパイプ４２４は、その屈曲部分で垂直に分岐する分岐パイプ４２４ａを有している。分岐パイプ４２４ａは、ダクトパイプ４２４を分岐させ、ダクトパイプ４２４に二つの出口開口を与えている。オゾン燻蒸用パイプ４２５は、ダクトパイプ４２４の水平に延出する部分で二股に分岐し、一端はダクトパイプ４２４の出口内で開口し、別の一端はダクトパイプ４２４の途中から外部に開口している。このようなオゾン燻蒸用パイプ４２５は、ダクトカバー４２３を空気清浄燻蒸機３０１の上部に装着すると燻蒸用噴出ノズル３２６の先端に設けられたオゾン放出口３２７に連結されるように位置付けられている。
【００４９】
こうして形成されたダクト４２２は、空気清浄燻蒸機３０１が設置位置に設置された状態で、陰圧雰囲気生成空間ＮＳ及び隔離室２０３にダクトパイプ４２４及びオゾン燻蒸用パイプ４２５を挿入させる。つまり、テント２０１を形成する二枚のシート２０２（２０２ａ，２０２ｂ）には、それぞれ、ダクト挿通孔４２６（４２６ａ，４２６ｂ）が形成されている。これらのダクト挿通孔４２６（４２６ａ，４２６ｂ）は、設置位置ＳＰに設置されている空気清浄燻蒸機３０１に装着されたダクト４２２が有するダクトパイプ４２４を挿通させることができる位置に位置付けられている。この状態で、ダクトパイプ４２４は二枚のシート２０２（２０２ａ，２０２ｂ）をいずれも連通し、これによって空気清浄燻蒸機３０１の排気口３０５を隔離室２０３の内部に連通させる。また、オゾン燻蒸用パイプ４２５は、二股に分岐した一方の開口端をダクトパイプ４２４と共に隔離室２０３の内部に配置し、もう一方の開口端を陰圧雰囲気生成空間ＮＳの内部に配置する。これによって、オゾン燻蒸用パイプ４２５は、空気清浄燻蒸機３０１のオゾン放出口３２７を陰圧雰囲気生成空間ＮＳ及び隔離室２０３に連通させる。
【００５０】
燻蒸用連通構造４２１は、空気清浄燻蒸機３０１の吸気口３０４を陰圧雰囲気生成空間ＮＳ及び隔離室２０３に連通させる構造として、連通孔４０２を陰圧室形成用連通構造４０１と兼用している。連通孔４０２は、空気清浄燻蒸機３０１の吸気口３０４を陰圧雰囲気生成空間ＮＳに連通させる。そして、前述したように、テント２０１は、その下縁２０７を底面ＧＳから離反させて非気密状態となっていることから、陰圧雰囲気生成空間ＮＳと隔離室２０３とは空間的に連通した状態にある。これにより、吸気口３０４は、連通孔４０２を介して陰圧雰囲気生成空間ＮＳに直接的に連通し、この陰圧雰囲気生成空間ＮＳを介して隔離室２０３に間接的に連通している。
【００５１】
このような構成において、隔離室形成装置１０１を使用するには、まず、隔離室形成装置１０１を使用しようとする場所にテント２０１を張る。そして、予め決められている設置位置ＳＰに空気清浄燻蒸機３０１を設置する。これと前後して、空気清浄燻蒸機３０１の上部にダクト４２２を取り付ける。この際、テント２０１を形成する二枚のシート２０２（２０２ａ，２０２ｂ）に形成されているダクト挿通孔４２６（４２６ａ，４２６ｂ）に、ダクト４２２のダクトパイプ４２４を挿入する。この際、ダクトパイプ４２４が有している分岐パイプ４２４ａは、ダクト挿通孔４２６（４２６ａ，４２６ｂ）には挿入されず、テント２０１の外部に配置される。これにより、空気清浄燻蒸機３０１の吸気口３０４が、上層側のシート２０２ａに形成されている連通孔４０２を介して陰圧雰囲気生成空間ＮＳと直接連通する（陰圧室形成用連通構造４０１）。また、空気清浄燻蒸機３０１のオゾン放出口３２７が、オゾン燻蒸用パイプ４２５を介して陰圧雰囲気生成空間ＮＳ及び隔離室２０３に連通する（燻蒸用連通構造４２１）。更に、空気清浄燻蒸機３０１の排気口３０５が、ダクト挿通孔４２６（４２６ａ，４２６ｂ）を挿通するダクトパイプ４２４を介して隔離室２０３に連通し、分岐パイプ４２４ａを介してテント２０１の外部空間に連通する（空気清浄用連通構造４３１）。こうして、隔離室形成装置１０１が構成されている。そこで、必要に応じて、ベッド５０１（図１参照）、ストレッチャー５０２（図２参照）、イス５０３（図３参照）等をテント２０１の内部に形成された隔離室２０３に設置し、感染症の患者ＩＰの搬入を待つ。
【００５２】
看護人は、感染症にかかった患者ＩＰを隔離室２０３に収容した後、空気清浄燻蒸機３０１の操作表示部３０６を手動操作して、まず、空気清浄部３０１Ａに対する動作開始指令を入力する（空気清浄部ＯＮ）。そして、患者ＩＰから隔離室２０３から退去した場合、燻蒸部３０１Ｂに対する動作開始指令を入力する（燻蒸部ＯＮ）。
【００５３】
図７は、空気清浄燻蒸機３０１の制御部３２８が実行するシーケンスの流れを示すフローチャートである。制御部３２８は、空気清浄部ＯＮと燻蒸部ＯＮとを検知するシーケンスを繰り返している（ステップＳ１０１、ステップＳ１０２）。そこで、空気清浄部ＯＮを検知すると（ステップＳ１０１のＹ）、空気清浄部３０１Ａの動作を開始する（ステップＳ１０３）。つまり、制御部３２８は、モータ３２２を駆動してファン３１６を回転駆動し、これによって吸気口３０４から風洞３０７の内部に外部の空気を引き込む（陰圧雰囲気生成空間ＮＳを陰圧にする工程）。この際、制御部３２８は、清浄用エアポンプ３１８及び清浄用オゾン発生器３１９を駆動して清浄用噴出ノズル３０９から風洞３０７の内部にオゾンを噴出させ、点灯回路３２１によって蛍光灯３１０を始動点灯させ、マイナスイオン発生器３１７を駆動してマイナスイオンを発生させる。
【００５４】
これにより、テント２０１を形成する二枚のシート２０２（２０２ａ，２０２ｂ）の隙間に形成されている陰圧雰囲気生成空間ＮＳ内の空気が吸気口３０４から引き込まれ、空気清浄部３０１Ａで清浄化された後に排気口３０５から排出され、ダクトパイプ４２４を通って一部が隔離室２０３に供給され、他の一部が分岐パイプ４２４ａを通ってテント２０１の外部空間に排出される。以下、このような空気清浄動作に伴い発生する各部の変化について詳細に説明する。
【００５５】
まず、空気清浄燻蒸機３０１の吸気口３０４から外部の空気が風洞３０７の内部に引き込まれると、上層側のシート２０２ａが吸気口３０４に張り付いたような状態となり、専ら、陰圧雰囲気生成空間ＮＳ内の空気が直接的に吸気口３０４に引き込まれる。これにより、陰圧雰囲気生成空間ＮＳは陰圧雰囲気となる。この際、テント２０１は非気密状態であることから、上層側のシート２０２ａの下縁２０７と底面ＧＳとの間の隙間からはテント２０１の外部の空気が陰圧雰囲気生成空間ＮＳに引き込まれ、下層側のシート２０２ｂと底面ＧＳとの間の隙間からは隔離室２０３の内部の空気が陰圧雰囲気生成空間ＮＳに引き込まれ、陰圧雰囲気生成空間ＮＳの内部圧力が外部圧力と平衡になろうとする。これに対して、陰圧雰囲気生成空間ＮＳは、連通孔４０２を介して空気清浄燻蒸機３０１の吸気口３０４に直接連通していることから、ファン３１６が回転して吸気口３０４からの空気の引き込み動作が継続している限り、陰圧雰囲気生成空間ＮＳの内部の空気が風洞３０７の内部に引き込まれ続ける。これにより、陰圧雰囲気生成空間ＮＳの内部圧力は外部圧力と平衡になりきらず、テント２０１の外部及び隔離室２０３の内部の圧力よりも僅かに陰圧状態を維持する。その結果、隔離室２０３に収容されている感染症の患者ＩＰが発する感染性粒子をテント２０１の外部に漏れ出さないようにすることができる。
【００５６】
ここで重要なことは、隔離室２０３及び陰圧雰囲気生成空間ＮＳが非気密状態であることから、陰圧雰囲気生成空間ＮＳに隔離室２０３及び外部空間からの空気を適宜回り込ませることができるということである。このことは、陰圧雰囲気生成空間ＮＳを陰圧雰囲気に維持するための特別な圧力制御を不要とできることを意味している。その結果、陰圧雰囲気を形成するための圧力制御の困難性を解消し、隔離室形成装置１０１の設計の困難化や構造の複雑化を避けることができる。
【００５７】
次いで、患者ＩＰが発する感染性粒子を含む隔離室２０３の内部空気は、陰圧雰囲気生成空間ＮＳが陰圧雰囲気になるに従い陰圧雰囲気生成空間ＮＳに流れ込む。このため、陰圧雰囲気生成空間ＮＳを陰圧雰囲気にするに際して空気清浄燻蒸機３０１が吸気口３０４から取り込む空気は、感染性粒子を含んでいる。そこで、空気清浄部３０１Ａは、この汚染された空気を清浄化して排出する。つまり、吸気口３０４から吸引された汚染空気は、プレフィルタ３０８を通過して大きな塵埃の除去処理を施され、清浄用噴出ノズル３０９が噴射するオゾンと混合されて除菌脱臭され、光触媒３１１を通過して除菌脱臭される。そして、光触媒３１１を通過した空気に含まれているオゾンはオゾン分解触媒３１２を通過することで酸素に戻される。その後、オゾンが酸素に戻された空気は、高性能脱臭フィルタ３１３を通過して悪臭物質の除去処理を施され、カーボンシルク３１４を通過して脱臭され、ＨＥＰＡフィルタ３１５を通過して残った浮遊菌や塵の除去処理を施され、清浄空気として排気口３０５から排出される。清浄空気には、マイナスイオン発生器３１７が発生させるマイナスイオンが混合される。この際、制御部３２８は、ダストセンサ３２９がセンシングする空気の汚れ具合に応じて、ファン３１６の回転量（風量）を調節する。
【００５８】
こうして、空気清浄燻蒸機３０１の空気清浄部３０１Ａは、陰圧雰囲気生成空間ＮＳを陰圧雰囲気にすると共に、その際に取り込んだ汚染された空気を清浄化された安全な空気として排気口３０５から排気する。排気口３０５から排出された空気は、ダクト４２２に集められ、ダクトパイプ４２４を通って一部が隔離室２０３に供給され、他の一部が分岐パイプ４２４ａを通ってテント２０１の外部空間に排出される。これにより、隔離室２０３には、清浄化された安全な空気を供給することができる。その結果、第一に、隔離室２０３内の雰囲気を清浄化することができる。第二に、隔離室２０３から陰圧雰囲気となった陰圧雰囲気生成空間ＮＳに空気が吸引されることによって発生することがある底面ＧＳの埃や砂（外部設置の場合）の舞い上げを抑制することができる。そして、第三に、陰圧雰囲気生成空間ＮＳを隔離室２０３よりも確実に陰圧雰囲気に維持することができる。この場合、ダクトパイプ４２４は、分岐パイプ４２４ａによって分岐されているので、排気口３０５から排出された空気の一部を隔離室２０３に供給して他の一部をテント２０１の外部空間に排出する。これにより、排気口３０５から排出された空気が過剰に隔離室２０３に戻されて陰圧雰囲気生成空間ＮＳの陰圧化が妨げられる事態を確実に防止することができる。
【００５９】
看護人は、テント２０１から患者ＩＰが退出した後、操作表示部３０６を手動操作し、空気清浄部３０１Ａを停止させて燻蒸部３０１Ｂを動作させる。この際、空気清浄部３０１Ａの動作停止指令を発した後（空気清浄部ＯＦＦ）、燻蒸部３０１Ｂを動作開始指令しても（燻蒸部ＯＮ）、いきなり燻蒸部３０１Ｂを動作開始指令しても（燻蒸部ＯＮ）、いずれでも良い。制御部３２８は、いずれの場合も空気清浄部３０１Ａの停止指令があったものと検知する。
【００６０】
制御部３２８は、動作中の空気清浄部３０１Ａの停止指令を検知すると（ステップＳ１０４のＹ）、空気清浄部３０１Ａの動作停止を実行する（ステップＳ１０５）。そして、制御部３２８は、空気清浄部３０１Ａの停止指令が操作表示部３０６による空気清浄部３０１Ａの動作停止指令であった場合には（ステップＳ１０６のＹ）、処理シーケンスを終了する。この場合、制御部３２８は、その後に行なわれることであろう燻蒸部３０１Ｂの動作開始指令（燻蒸部ＯＮ）の検知（ステップＳ１０２のＹ）に待機することになる。これに対して、制御部３２８は、空気清浄部３０１Ａの停止指令が操作表示部３０６による燻蒸部３０１Ｂの動作開始指令（燻蒸部ＯＮ）である場合には（ステップＳ１０６のＹ）、燻蒸部３０１Ｂの動作開始指令の検知有無判定（ステップＳ１０２）を実行することなく、燻蒸部３０１Ｂによる燻蒸動作を開始する（ステップＳ１０７）。
【００６１】
制御部３２８は、ステップＳ１０７の燻蒸動作として、燻蒸用エアポンプ３２３及び燻蒸用オゾン発生器３２４を駆動する（隔離室を燻蒸する工程）。これにより、燻蒸用エアポンプ３２３の動作によって吸気口３０４から空気が取り込まれ、取り込まれた空気は燻蒸用オゾン発生器３２４が発生するオゾンと混合されて燻蒸用噴出ノズル３２６のオゾン放出口３２７からオゾンガスとして放出される。オゾン放出口３２７から放出されたオゾンガスは、ダクト４２２が有するオゾン燻蒸用パイプ４２５を通って陰圧雰囲気生成空間ＮＳ及び隔離室２０３に供給される。これにより、感染症の患者ＩＰが隔離室２０３に収容されたことによって汚染された陰圧雰囲気生成空間ＮＳ及び隔離室２０３をオゾン燻蒸することができる。この際、言うまでもなく、隔離室２０３に設置されていたベッド５０１（図１参照）、ストレッチャー５０２（図２参照）、イス５０３（図３参照）等の装備品、二枚のシート２０２（２０２ａ，２０２ｂ）のそれぞれ、フレーム２０４及びスペーサ２０５に満遍なくオゾンが回り込み、これらの各部を十分にオゾン燻蒸することができる。
【００６２】
制御部３２８は、隔離室形成装置１０１の各部を燻蒸するのに十分な時間として設定されている所定時間の経過を待ち、所定時間が経過したならば（ステップＳ１０８のＹ）、燻蒸部３０１Ｂによる燻蒸動作を停止する（ステップＳ１０９）。そして、燻蒸部３０１Ｂによるオゾン除去動作を開始する（ステップＳ１１０）。
【００６３】
制御部３２８は、ステップＳ１１０のオゾン除去動作として、モータ３２２の駆動によってファン３１６を回転駆動し、これによって吸気口３０４から風洞３０７の内部に外部の空気を引き込む。この際、制御部３２８は、点灯回路３２１によって蛍光灯３１０を始動点灯させ、マイナスイオン発生器３１７を駆動してマイナスイオンを発生させる（オゾンを除去する工程）。このようなオゾン除去動作により、空気清浄燻蒸機３０１の吸気口３０４から外部の空気が風洞３０７の内部に引き込まれると、上層側のシート２０２ａが吸気口３０４に張り付いたような状態となり、専ら、陰圧雰囲気生成空間ＮＳ内のオゾンを含む空気が直接的に吸気口３０４に引き込まれる。すると、隔離室２０３の内部空気が陰圧雰囲気生成空間ＮＳに移動し、陰圧雰囲気生成空間ＮＳを介して吸気口３０４に引き込まれる。吸気口３０４から吸引されたオゾンを含む空気は、プレフィルタ３０８を通過して大きな塵埃の除去処理を施され、光触媒３１１を通過して除菌脱臭される。そして、光触媒３１１を通過した空気に含まれているオゾンはオゾン分解触媒３１２を通過することで酸素に戻される。その後、オゾンが酸素に戻された空気は、高性能脱臭フィルタ３１３を通過して悪臭物質の除去処理を施され、カーボンシルク３１４を通過して脱臭され、ＨＥＰＡフィルタ３１５を通過して残った浮遊菌や塵の除去処理を施され、清浄空気として排気口３０５から排出される。清浄空気には、マイナスイオン発生器３１７が発生させるマイナスイオンが混合される。こうして、空気清浄燻蒸機３０１の燻蒸部３０１Ｂは、吸気口３０４から取り込んだ空気に含まれているオゾンを酸素に分解して排気口３０５から排気する。排気口３０５から排出された空気は、ダクト４２２に集められ、ダクトパイプ４２４を通って一部が隔離室２０３に供給され、他の一部が分岐パイプ４２４ａを通ってテント２０１の外部空間に排出される。
【００６４】
制御部３２８は、陰圧雰囲気生成空間ＮＳ及び隔離室２０３に残るオゾンを分解するのに十分な時間として設定されている所定時間の経過を待ち、所定時間が経過したならば（ステップＳ１１１のＹ）、燻蒸部３０１Ｂによるオゾン回収動作を停止する（ステップＳ１１２）。これにより、本実施の形態の隔離室形成装置１０１によれば、隔離室２０３に感染症の患者ＩＰを収容した後も、隔離室２０３を形成するための各部を再使用することができる。
【００６５】
図８は、別の実施の一形態として適用可能な空気清浄燻蒸機３０１をその内部構造及び電気的接続と共に示す模式図である。図１ないし図７に基づいて説明した部分と同一部分は同一符号で示し、説明も省略する。
【００６６】
本実施の形態の空気清浄燻蒸機３０１は、清浄用エアポンプ３１８及び清浄用オゾン発生器３１９と燻蒸用エアポンプ３２３及び燻蒸用オゾン発生器３２４とを、単一の共用エアポンプ３３１及び共用オゾン発生器３３２として兼用している。つまり、空気清浄燻蒸機３０１の吸気口３０４には共用エアポンプ３３１が配置され、この共用エアポンプ３３１には中空のチューブ３３３ａを介して共用オゾン発生器３３２が連結している。そして、共用オゾン発生器３３２には中空のチューブ３３３ｂが接続されている。このチューブ３３３ｂは、電磁バルブ３３４を介して、清浄用噴出ノズル３０９に連絡する中空のチューブ３３３ｃと燻蒸用噴出ノズル３２６に連絡する中空のチューブ３３３ｄとに分岐している。電磁バルブ３３４は、共用オゾン発生器３３２に連結されているチューブ３３３ｂを、清浄用噴出ノズル３０９に連通しているチューブ３３３ｃと燻蒸用噴出ノズル３２６に連通しているチューブ３３３ｄとに択一的に切り替える。これらの共用エアポンプ３３１、共用オゾン発生器３３２及び電磁バルブ３３４は、制御部３２８に接続されて制御部３２８に制御される。制御部３２８によるこれらの各部の制御は、次の通りである。
【００６７】
制御部３２８は、空気清浄燻蒸機３０１の空気清浄部３０１Ａを動作させる場合（図７のステップＳ１０３）、共用エアポンプ３３１及び共用オゾン発生器３３２を駆動させる。そして、制御部３２８は、共用オゾン発生器３３２に連結されているチューブ３３３ｂが清浄用噴出ノズル３０９に連通しているチューブ３３３ｃの側に連通するよう、電磁バルブ３３４を切り替え制御する。これにより、空気清浄部３０１Ａは、前述した動作と同一の動作を行なう。
【００６８】
制御部３２８は、空気清浄燻蒸機３０１の燻蒸部３０１Ｂに燻蒸動作をさせる場合（図７のステップＳ１０７）、共用エアポンプ３３１及び共用オゾン発生器３３２を駆動させる。そして、制御部３２８は、共用オゾン発生器３３２に連結されているチューブ３３３ｂが燻蒸用噴出ノズル３２６に連通しているチューブ３３３ｄの側に連通するよう、電磁バルブ３３４を切り替え制御する。これにより、燻蒸部３０１Ｂは、前述した燻蒸動作と同一の燻蒸動作を行なう。
【００６９】
制御部３２８は、空気清浄燻蒸機３０１の燻蒸部３０１Ｂにオゾン回収動作をさせる場合（図７のステップＳ１１０）、共用エアポンプ３３１及び共用オゾン発生器３３２をいずれも動作させず、電磁バルブ３３４も切り替え制御しない。これにより、燻蒸部３０１Ｂは、前述したオゾン回収動作と同一のオゾン回収動作を行なう。
【００７０】
以上説明したように、いずれの実施の形態によっても、隔離室２０３及び陰圧雰囲気生成空間ＮＳが非気密状態であることから、陰圧雰囲気生成空間ＮＳに隔離室２０３及び外部空間からの空気を適宜回り込ませることができ、これにより、陰圧雰囲気生成空間ＮＳを陰圧雰囲気に維持するための特別な圧力制御を不要とすることができる。
【００７１】
また、いずれの実施の形態も、空気清浄部３０１Ａと燻蒸部３０１Ｂとが空気清浄燻蒸機３０１として一体化されて部品の共通化が図られている。これにより、部品コストの低減、空気清浄燻蒸機３０１の小型化等を実現させることができる。とりわけ、図８に示す実施の形態では、空気清浄部３０１Ａの清浄用エアポンプ３１８及び清浄用オゾン発生器３１９と、燻蒸部３０１Ｂの燻蒸用エアポンプ３２３及び燻蒸用オゾン発生器３２４とが、単一の共用エアポンプ３３１及び共用オゾン発生器３３２として兼用されているので、より一層の部品の共通化を図ることができる。
【００７２】
また、いずれの実施の形態も、空気清浄部３０１Ａと燻蒸部３０１Ｂとが単一のハウジング３０２に内蔵されて一体化されているため、空気清浄部３０１Ａと燻蒸部３０１Ｂとが別体である場合と比較して、空気清浄燻蒸機３０１の設置運搬に利便性が増す。
【００７３】
更に、いずれの実施の形態でも、患者ＩＰがテント２０１から退出した後に各部をオゾン燻蒸し、その後にオゾン回収をすることができるので、隔離室形成装置１０１を形成する各部、隔離室２０３に設置していた患者ＩＰのためのベッド５０１（図１参照）、ストレッチャー５０２（図２参照）、イス５０３（図３参照）等をオゾン消毒することができる。これにより、それらの各部を焼却処分することなく繰り返して使用することができる。
【００７４】
加えて、いずれの実施の形態も、空気清浄燻蒸機３０１はテント２０１の外部の設置位置ＳＰに設置され、これによってその役割を果たす。このため、テント２０１の外部から空気清浄燻蒸機３０１を操作することができ、例えば、患者ＩＰがテント２０１から退出した後に看護人をテント２０１の内部に立ち入らせることなく燻蒸動作の開始を指示することができる。これにより、看護人を感染症から保護することが可能となる。
【００７５】
なお、本実施の形態では、二枚のシート２０２（２０２ａ，２０２ｂ）を用いてそれらの隙間を陰圧雰囲気生成空間ＮＳとした一例を例示したが、実施に際しては、シート２０２の枚数は三枚以上であっても良い。この場合、個々のシート２０２の間の隙間に複数の陰圧雰囲気生成空間ＮＳが積層形成されることになる。
【符号の説明】
【００７６】
２０１  テント
２０２  シート
２０３  隔離室
３０１Ａ  空気清浄部
３０１Ｂ  燻蒸部
３０４  吸気口（オゾン吸気口）
３０５  排気口（第１の排気口、第２の排気口）
３１２  オゾン分解触媒（第１のオゾン分解触媒、第２のオゾン分解触媒）
３１５  ＨＥＰＡフィルタ
３１９  清浄用オゾン発生器（第１のオゾン発生器）
３２４  燻蒸用オゾン発生器（第２のオゾン発生器）
３２７  オゾン放出口
３３２  共用オゾン発生器（第１のオゾン発生器、第２のオゾン発生器）
４０１  陰圧室形成用連通構造
４２１  燻蒸用連通構造
４３１  空気清浄用連通構造
ＮＳ  陰圧雰囲気生成空間
ＳＰ  設置位置
【図１】
2010264074.tif 000003
【図２】
2010264074.tif 000004
【図３】
2010264074.tif 000005
【図４】
2010264074.tif 000006
【図５】
2010264074.tif 000007
【図６】
2010264074.tif 000008
【図７】
2010264074.tif 000009
【図８】
2010264074.tif 000010